(57)【特許請求の範囲】
【請求項１】
基台又は床面に積層状態に配置される下部架台と、この下部架台の上に積層状態に配置された中間部架台と、この中間部架台の上に積層状態に配置され物品が載せられる上部架台とを具備するとともに、
前記下部架台の上面に設けた一対の平行配置の立ち上がり部を有する平行２列配置のレールと、中間部架台の下面に設けた一対の平行配置で前記下部架台側のレールと対向させる立ち上がり部を有する平行２列配置のレールとの間に各々配設されるとともに、平面視長方形状の枠体と、前記枠体の一方の片側の両端に回転可能に取り付けられ前記各レールの対向する立ち上がり部両側を挟むフランジ部付の一対のローラと、前記枠体の他方の片側の両端に回転可能に取り付けられ前記各レールの対向する立ち上がり部に当接させる一対のローラと、を具備し、下部架台に対して中間部架台が一方向に且つ相対的に水平移動可能とする２台構成の第一水平移動手段と、
前記中間部架台の上面に設けた一対の平行配置の立ち上がり部を有する平行２列配置のレールと、上部架台の下面に設けた一対の平行配置で前記中間部架台側のレールと対向させる立ち上がり部を有する平行２列配置のレールとの間に各々配設されるとともに、平面視長方形状の枠体と、前記枠体の一方の片側の両端に回転可能に取り付けられ前記各レールの対向する立ち上がり部両側を挟むフランジ部付の一対のローラと、前記枠体の他方の片側の両端に回転可能に取り付けられ前記各レールの対向する立ち上がり部に当接させる一対のローラと、を具備し、中間部架台に対して上部架台が前記一方向とは異なる他方向に且つ相対的に水平移動可能とする２台構成の第二水平移動手段とを具備し、
前記下部架台の上面と中間部架台の下面とを、相互に非接合で係合状態に構成しつつこの係合により、積層状態に構成配置される相互の架台が持ち上がり、跳ね上がりしないように、当該下部架台と中間部架台との間に、前記下部架台の上面と中間部架台の下面のいずれか一方に設けられた略Ｔ字状の第一係合片と、前記下部架台の上面と中間部架台の下面のいずれか他方に設けられ、前記第一係合片と非接合で係合して前記一方向に沿って設けられた略鉤状の第一被係合部材とからなり、相互に非接合で係合状態に構成した第一の架台持ち上がり、跳ね上がり防止手段を設け、
前記上部架台の下面と下部架台の上面とを、相互に非接合で係合状態に構成しつつこの係合により、積層状態に構成配置される相互の架台が持ち上がり、跳ね上がりしないように、当該上部架台と中間部架台との間に、前記中間部架台の上面と上部架台の下面のいずれか一方に設けられた略Ｔ字状の第二係合片と、前記中間部架台の上面と上部架台の下面のいずれか他方に設けられ、前記第二係合片と非接合で係合して前記他方向に沿って設けられた略鉤状の第二被係合部材とからなり、相互に非接合で係合状態に構成した前記第一の架台持ち上がり、跳ね上がり防止手段とは異なる他方向の配置の第二の立ち上がり、跳ね上がり防止手段を設け、
前記各ローラのフランジ部により前記第一水平移動手段、第二水平移動手段のローラの装置内での脱輪を防止するとともに、前記第一の立ち上がり、跳ね上がり防止手段により、前記下部架台に対する中間部架台の持ち上がり、跳ね上がりを防止し、前記第二の立ち上がり、跳ね上がり防止手段により、前記中間部架台に対する上部架台の持ち上がり、跳ね上がりを防止したことを特徴とする架台の持ち上がり、跳ね上がり防止機構を施したことを特徴とする免震装置。
【発明の詳細な説明】
【発明の属する技術分野】
本発明は、例えば美術館等における美術品等の高価な物品を地震等の振動から保護するように構成した免震装置において、この免震装置を構成する架台の持ち上がり、跳ね上がり防止機構を施した免震装置に関するものである。
【従来の技術】
従来、例えば、美術品等の高価な物品を美術館の展示用ケースの架台に載せて展示する場合には、この物品が地震等によって倒れて損傷しないように、この高価な物品は、地震等の振動から保護するように構成した免震装置の上に載せるようにしている。
このような免震装置として、例えば図１１に示すようなものがある。
図１１において美術館の基台又は床面１０１の上には、例えば展示用ケース１０２が設けられており、この展示用ケース１０２内には免震装置１０３が設けられ、この上に美術品等の物品１０４が載せられている。
この免震装置１０３は、下部架台１０５、中間部架台１０６、上部架台１０７からなっており、下部架台１０５の上に中間部架台１０６を載せるようにして設け、更に中間部架台１０６の上に上部架台１０７を載せるようにして設けている。
前記下部架台１０５と中間部架台１０６との間にはローラ等を用いた後記本発明の実施の形態に示す図２、図３と同様な水平移動体７からなる第一移動体が配設されており、この第一移動体によって中間部架台１０６に対する下部架台１０５は、図中の矢印方向のように左右方向に相対的に水平移動するように構成されている。
また、中間部架台１０６と上部架台１０７との間にはローラ等を用いた後記本発明の実施の形態に示す図２、図３と同様な水平移動体８からなる第二移動体が配設されており、この第二移動体によって上部架台１０７に対する中間部架台１０６は、図中の矢印方向のように前後方向に相対的に水平移動するようになっている。
地震等が発生すると、基台又は床面１０１が振動するが、第一、第二移動体によって下部架台１０５と中間部架台１０６とが夫々自在にオーバーハング状態で直交する方向に移動して、上部架台１０７の上の物品１０４は地震等の振動から免震されるように構成されている。
【発明が解決しようとする課題】
しかしながら、上記従来の免震装置にける架台にあっては、積層状態に構成配置される相互の架台の持ち上がり、跳ね上がり防止機構が施されていないことから、この装置の設置の前後を問わず、例えばこの装置の搬送時等に各架台が不用意に飛び跳ね上がったり、持ち上がってしまうような問題が生じていた。
本発明は、上記従来の実情に鑑み開発されたものであり、上記従来の問題を解決し、積層状態に構成配置される相互の架台の持ち上がり、跳ね上がり防止機構を施すことにより、この装置の設置の前後を問わず、架台が不用意に飛び跳ね上がったり、持ち上がってしまうようなことがなく、前記各水平移動手段のローラが装置内で脱輪しないように構成した免震装置を提供することを目的とする。
【課題を解決するための手段】
請求項１記載の架台の跳ね上がり防止機構を施した免震装置は、基台又は床面に積層状態に配置される下部架台と、この下部架台の上に積層状態に配置された中間部架台と、この中間部架台の上に積層状態に配置され物品が載せられる上部架台とを具備するとともに、前記下部架台の上面に設けた一対の平行配置の立ち上がり部を有する平行２列配置のレールと、中間部架台の下面に設けた一対の平行配置で前記下部架台側のレールと対向させる立ち上がり部を有する平行２列配置のレールとの間に各々配設されるとともに、平面視長方形状の枠体と、前記枠体の一方の片側の両端に回転可能に取り付けられ前記各レールの対向する立ち上がり部両側を挟むフランジ部付の一対のローラと、前記枠体の他方の片側の両端に回転可能に取り付けられ前記各レールの対向する立ち上がり部に当接させる一対のローラと、を具備し、下部架台に対して中間部架台が一方向に且つ相対的に水平移動可能とする２台構成の第一水平移動手段と、前記中間部架台の上面に設けた一対の平行配置の立ち上がり部を有する平行２列配置のレールと、上部架台の下面に設けた一対の平行配置で前記中間部架台側のレールと対向させる立ち上がり部を有する平行２列配置のレールとの間に各々配設されるとともに、平面視長方形状の枠体と、前記枠体の一方の片側の両端に回転可能に取り付けられ前記各レールの対向する立ち上がり部両側を挟むフランジ部付の一対のローラと、前記枠体の他方の片側の両端に回転可能に取り付けられ前記各レールの対向する立ち上がり部に当接させる一対のローラと、を具備し、中間部架台に対して上部架台が前記一方向とは異なる他方向に且つ相対的に水平移動可能とする２台構成の第二水平移動手段とを具備し、前記下部架台の上面と中間部架台の下面とを、相互に非接合で係合状態に構成しつつこの係合により、積層状態に構成配置される相互の架台が持ち上がり、跳ね上がりしないように、当該下部架台と中間部架台との間に、前記下部架台の上面と中間部架台の下面のいずれか一方に設けられた略Ｔ字状の第一係合片と、前記下部架台の上面と中間部架台の下面のいずれか他方に設けられ、前記第一係合片と非接合で係合して前記一方向に沿って設けられた略鉤状の第一被係合部材とからなり、相互に非接合で係合状態に構成した第一の架台持ち上がり、跳ね上がり防止手段を設け、  前記上部架台の下面と下部架台の上面とを、相互に非接合で係合状態に構成しつつこの係合により、積層状態に構成配置される相互の架台が持ち上がり、跳ね上がりしないように、当該上部架台と中間部架台との間に、前記中間部架台の上面と上部架台の下面のいずれか一方に設けられた略Ｔ字状の第二係合片と、前記中間部架台の上面と上部架台の下面のいずれか他方に設けられ、前記第二係合片と非接合で係合して前記他方向に沿って設けられた略鉤状の第二被係合部材とからなり、相互に非接合で係合状態に構成した前記第一の架台持ち上がり、跳ね上がり防止手段とは異なる他方向の配置の第二の立ち上がり、跳ね上がり防止手段を設け、前記各ローラのフランジ部により前記第一水平移動手段、第二水平移動手段のローラの装置内での脱輪を防止するとともに、前記第一の立ち上がり、跳ね上がり防止手段により、���記下部架台に対する中間部架台の持ち上がり、跳ね上がりを防止し、前記第二の立ち上がり、跳ね上がり防止手段により、前記中間部架台に対する上部架台の持ち上がり、跳ね上がりを防止したことを特徴とする架台の持ち上がり、跳ね上がり防止機構を施したことを特徴とするものである。
請求項１の発明によれば、免震のための３個の架台がレール、ローラを間に介在しつつ積層状態に構成配置される類の免震装置において、各架台が前記第一、第二の立ち上がり、跳ね上がり防止手段を用いて相互に非接合で係合状態に構成されているとともに、第一、第二の水平移動手段を構成するローラにレール両側を挟むフランジ部を設けているので、第一水平移動手段、第二水平移動手段のローラの装置内での脱輪を防止でき、前記下部架台に対する中間部架台の持ち上がり、跳ね上がりを防止し、中間部架台に対する上部架台の持ち上がり、跳ね上がりも防止できる優れた免震装置を実現できる。
【発明の実施の形態】
以下、本発明の実施の形態を実施例に基づき図１乃至図１０を参照しながら説明する。
図１乃至図１０は本発明に係る架台の持ち上がり、跳ね上がり防止機構を施した免震装置の一実施例を示す図面である。
図１において、符号１は、基台又は床面２上に載置され、全体が略平板状をしており端縁が曲折形成された下部架台であり、この下部架台１の上には同じく略平板状をしており端縁が曲折形成された中間部架台３が位置し、更にこの上には同じく平板状をしており端縁が曲折形成された上部架台４が位置している（前記従来例を参照）。
略正方形の平板状をした前記中間部架台３の上面側であって、図１中左下及び右上の縁部側には、夫々レール５、６が設けられている。
上記夫々のレール５、６には水平移動体７、８が夫々配置されて構成されている。
図２に示すように、前記水平移動体７は、長方形状の枠体９を有しており、枠体９の図２中右側であって両端には、車輪状のローラ１０、１１がボルトによって回転自在に取り付けられている。ローラ１０、１１には、レール５の立ち上がり部５ａから脱輪するのを防止するためのフランジ部１０ａ、１０ｂ、１１ａ及び１１ｂが一体形成されている。枠体の図２中左側であって両端には、ローラ１３、１４がボルトによって回転自在に取り付けられている。
また、図３に示すように、前記水平移動体７のローラ１０、１３は、夫々レール５の両端の立ち上がり部５ａ、５ｂに係合しながら乗っている。
ローラ１０のフランジ部１０ａ、１０ｂは前記立ち上がり部５ａの両側に位置しているので、このレール５上を走行する水平移動体７がこれから脱輪するようなことは無い。レール５の立ち上がり部５ａ、５ｂの前後側（図１中左斜め上側、右斜め下側）は他の個所よりも少し高くなっている。
一方、ローラ１０の上方にも同じようなレール１５が係合しており、このレール１５は上部架台４の下面側に、中間部架台３の上面側と同じよう位置に設けられている。
水平移動体８も、前記水平移動体７と同様の構成となっている。
このために、水平移動体７、８によって、前記上部架台４に対して前記中間部架台３は、図１中の矢印のような方向に相対的に移動可能となる。なお、前記レール５、１５と水平移動体７及び水平移動体８はローラ等から構成される第二水平移動手段を構成している。
また、中間部架台３と下部架台１との間にもレール（図示せず）と水平移動体（図示せず）が同様に設けられ、このレールと水平移動体はローラ等から構成される第一水平移動手段を構成している。
但し、このレールの方向は前記レール５、６の方向とは直角になっている。このため、前記中間部架台３に対して下部架台１は、図１中の矢印のような方向に相対的に移動可能となる。
このように、第一、第二移動体によって下部架台１０５と中間部架台１０６とが夫々自在にオーバーハング状態で直交する方向に移動可能となっている。したがって、基台又は床面２が地震等によって揺れても、上部架台１０７の上の物品１０４は地震等の振動から免震されるように構成されている。
次に、例えば上述したような免震装置に用いられ、このような装置における架台の持ち上がり、跳ね上がり防止機構を説明する。
図４、図５に示すように、上面に地震から保護すべき対象である美術品等が載置される前記上部架台４の下面側には、断面略逆ハット状の補強材２１が、この下面側に設けられているローラ等から構成される第二水平移動手段のレール（図示せず）の間にこのレールと同じ他方向に延設されている。
前記補強材２１の中央部には、図５に示すように全体が略逆Ｔ字状をした板状の第二係合片２２が前記他方向とは直角に取り付けられている。
次に、図６及び図７に示すように、前記中間部架台３の上面側には、断面が略鉤状に形成された一対の第二被係合部材２３ａ、２３ｂが、この上面側に設けられているローラ等から構成される第二水平移動手段のレール（図６、７には図示せず）の間に、前記他方向と同じ方向に設けられている。
前記一対の第二被係合部材２３ａ、２３ｂが少し離して設けられており、このことにより、第二被係合部間には係合溝２３ｃが形成される。この係合溝２３ｃは、前記第二係合片２２が入って第二被係合部材２３ａ、２３ｂと非接合で係合可能となっている。
このように、上部架台４は中間部架台３の上に単に載置されているのではなく、上部架台４と中間部架台３とが相互に係合する状態にある。このため、上部架台４が中間部架３台に対して水平方向に移動した場合でも、第二係合片２２が第二被係合部材２３ａ、２３ｂに非接合で係合し、上部架台４と中間部架台３とが相互に非接合で係合する状態にあるので、この非接合での係合により、この種の免震装置において積層状態に構成配置される相互の架台（上部架台４）の持ち上がり、跳ね上がり防止がなされ、この装置の設置の前後を問わず、例えばこの装置の搬送時等に各架台が不用意に飛び跳ね上がったり、持ち上がってしまうような事態を解消できる。これにより、結果的に、前記各水平移動手段のローラ等の装置内での脱輪を防止できる。
なお、第二係合片２２と第二被係合部材２３ａ、２３ｂは、第二の架台持ち上がり、跳ね上がり防止手段を構成している。
図８に示すように、中間部架台３の下面側であって図８中左右両端側には、前記他方向とは直角の一方向にローラ等から構成される第一水平移動手段のレール（図示せず）が設けられているが、このレールの間の中央には、全体が略逆Ｔ字状をした板状の第一係合片２４が前記一方向とは直角に取り付けられている。
次に、図９及び図１０に示すように、下部架台１の上面側には、断面が略鉤状に形成された一対の第一被係合部材２５ａ、２５ｂがこの上面側に設けられているローラ等から構成される第一水平移動手段のレール（図示せず）の間に、前記一方向と同じ方向に設けられている。
第一被係合部材２５ａ、２５ｂには、前記と同様に係合溝２５ｃが形成されており、この係合溝２５ｃには、前記第一係合片２４が入って第一被係合部材２５ａ、２５ｂと非接合で係合可能となっている。
なお、第一係合片と第一被係合部材は、第一の架台持ち上がり、跳ね上がり防止手段を構成している。
このように、中間部架台３は下部架台１の上に単に載置されているのではなく、前記同様、中間部部架台３と下部架台１とが相互に非接合で係合状態にある。このため、中間部架台３が下部架台１に対して水平方向に移動した場合でも、第一係合片２４が第一被係合部材２５ａ、２５ｂに非接合で係合し、中間部部架台３と下部架台１とが相互に非接合で係合状態にあるので、前記同様この非接合での係合により、この種の免震装置において積層状態に構成配置される相互の架台（中間部架台３）の持ち上がり、跳ね上がり防止がなされ、この装置の設置の前後を問わず、例えばこの装置の搬送時等に各架台が不用意に飛び跳ね上がったり、持ち上がってしまうような事態を解消できる。
【発明の効果】
以上説明したように、請求項１記載に係る本発明によれば、免震のための３個の架台が積層状態に構成配置される類の免震装置において、各架台がレール、ローラを間に介在しつつ積層状態に構成配置される類の免震装置において、第一、第二の水平移動手段を構成するローラにレール両側を挟むフランジ部を設けているとともに、各架台が前記第一、第二の立ち上がり、跳ね上がり防止手段を用いて相互に非接合で係合状態に構成されているので、第一水平移動手段、第二水平移動手段のローラの装置内での脱輪を防止でき、前記下部架台に対する中間部架台の持ち上がり、跳ね上がりを防止し、中間部架台に対する上部架台の持ち上がり、跳ね上がりも防止できる優れた免震装置を提供することができる。
【図面の簡単な説明】
【図１】  本発明に係る架台の持ち上がり、跳ね上がり防止機構を施した免震装置の一実施例を示す斜視図である。
【図２】  図１に示す免震装置の第二水平移動手段の平面図である。
【図３】  図１に示す免震装置の第二水平移動手段の断面図である。
【図４】  図１に示す免震装置の上部架台の平面図である。
【図５】  図４におけるＡ−Ａ断面図である。
【図６】  図１に示す免震装置の中間部架台の平面図である。
【図７】  図６におけるＢ−Ｂ断面図である。
【図８】  図１に示す免震装置の中間部架台の正面図である。
【図９】  図１に示す免震装置の下部架台の平面図である。
【図１０】  図１に示す免震装置の上部架台の断面図である。
【図１１】  従来における免震装置の正面図である。
【符号の説明】
１    下部架台
２    基台又は床面
３    中間部架台
４    上部架台
２２    第二係合片
２４    第一係合片
２３    第二被係合部材
２３ｂ  第二被係合部材
２５ａ  第一被係合部材
２５ｂ  第一被係合部材
【図１】
0004738574.tif 000002
【図２】
0004738574.tif 000003
【図３】
0004738574.tif 000004
【図４】
0004738574.tif 000005
【図５】
0004738574.tif 000006
【図６】
0004738574.tif 000007
【図７】
0004738574.tif 000008
【図８】
0004738574.tif 000009
【図９】
0004738574.tif 000010
【図１０】
0004738574.tif 000011
【図１１】
0004738574.tif 000012